(57)【特許請求の範囲】
【請求項１】
基礎の上に複数の柱を立て、柱の間に床板を掛け渡して高所を構成する躯体であって、
基礎は鉄筋コンクリートに、柱はプレキャスト鉄筋コンクリートに、床板はプレキャストコンクリートにし、
基礎は上面から鉄筋の縦筋を突出し、柱は下端部に筒状の鉄筋継手を上下方向に埋設し、鉄筋継手は、上端の開口から柱の鉄筋の縦筋の下端部を挿入し、下端の開口を柱の下端面に開口し、柱は基礎の上に縦に配置し、鉄筋継手に下端の開口から基礎上の縦筋を挿入し、鉄筋継手はグラウト剤を充填して柱の縦筋と基礎の縦筋を結合し、柱は基礎に固定し、柱の下端面は基礎で、基礎上面の縦筋突出部分は柱の下端面で覆い、
柱は受け部を設け、受け部は上面にインサートでネジ孔を設け、床板はボルト孔を上下方向に貫通し、ボルト孔は上端部を大径にし、柱の受け部に床板を載せ、ボルト孔にボルトを通し、ボルトはネジ孔に捩じ込み、ボルトの上端部はボルト孔の大径上端部に没入し、ボルト孔の大径上端部にグラウト剤を充填し、床板は柱の受け部に結合し、受け部上面のネジ孔部分は床板で、ボルトの上端部はグラウト剤で覆ったことを特徴とする高所避難施設の躯体。
【請求項２】
柱の間に梁を掛け渡し、梁の上に床板を載せる躯体であって、
梁は、プレキャストコンクリートにし、ボルト孔を上下方向に貫通し、ボルト孔は上端部を大径にし、梁は柱の受け部に載せ、ボルト孔にボルトを通し、ボルトは受け部上面のネジ孔に捩じ込み、ボルトの上端部はボルト孔の大径上端部に没入し、ボルト孔の大径上端部にグラウト剤を充填し、梁は柱の受け部に結合し、受け部上面のネジ孔部分は梁で、ボルトの上端部はグラウト剤で覆い、
梁は上面にインサートでネジ孔を設け、床板はボルト孔を上下方向に貫通し、ボルト孔は上端部を大径にし、床板は梁に載せ、ボルト孔にボルトを通し、ボルトはネジ孔に捩じ込み、ボルトの上端部はボルト孔の大径上端部に没入し、ボルト孔の大径上端部にグラウト剤を充填し、床板は梁に結合し、梁上面のネジ孔部分は床板で、ボルトの上端部はグラウト剤で覆ったことを特徴とする請求項１に記載の高所避難施設の躯体。
【請求項３】
柱の上端の間に床板を掛け渡して高所を構成したことを特徴とする請求項１又は２に記載の高所避難施設の躯体。
【請求項４】
柱の中間位置の間に床板を掛け渡して高所を構成したことを特徴とする請求項１、２又は３に記載の高所避難施設の躯体。
【発明の詳細な説明】
【技術分野】
【０００１】
本発明は、津波や洪水の発生時に避難民が滞在する高所避難施設の躯体に関する。
【背景技術】
【０００２】
避難タワーとも言われる高所避難施設の躯体は、地表に基礎を設け、基礎の上に複数の柱を立て、柱の中間位置の間に床板を掛け渡して第１高所を構成している。また、柱の上端の間に床板を掛け渡して第２高所を構成している。柱や床板の材料は、鉄骨やコンクリートにしている。躯体は、地表と第１高所の間、第１高所と第２高所の間に、階段、斜面や昇降装置のような昇降用設備を設けている。
避難民は、地表から昇降用設備を経て第１高所に上り、第１高所に滞在する。また、第１高所から昇降用設備を経て第２高所に上り、第２高所に滞在する。
【先行技術文献】
【特許文献】
【０００３】
【特許文献１】特開２００８−１８００５５号公報
【発明の概要】
【発明が解決しようとする課題】
【０００４】
［課  題］
高所避難施設の躯体は、津波や洪水に対する強度が求められる。潮風や海水による塩害の防止が求められる。高い耐久性が要求される。また、避難民が滞在する使用期間よりも、無人状態の不使用期間が長い。長い期間、無人で屋外に放置される。躯体は、部材に鉄骨のような鋼材を使用すると、鋼材の耐久性を維持する塗装のような保護処理を定期的に施す手間が掛かる。即ち、長い期間に亘り、高い耐久性を維持する管理の手間が掛かる。
耐久性の維持管理の手間を減らすことが望まれる。また、構築が簡単であることが望まれる。
【０００５】
［着  想］
１．プレキャストコンクリートブロックと金属製の連結具
高所避難施設の躯体は、主要な部材にプレキャストコンクリートブロックを使用することにする。プレキャストコンクリートは、鉄筋コンクリート又は無筋コンクリートにする。プレキャストコンクリートブロックは、工場で高品質に製作され、強度と耐久性が高い。耐久性の維持管理に多くの手間が掛からない。
プレキャストコンクリートブロックの部材は、金属製の連結具で結合することにする。金属製の連結具は、結合強度が高い。ところが、外部に露出すると、腐食し易い。耐久性が低くなる。そこで、金属製の連結具は、外部に露出せずに、内蔵することにする。
高所避難施設の躯体は、プレキャストコンクリートブロックの主要部材を金属製の連結具で結合して構築する。構築に多くの手間が掛からない。構築が簡単になる。
【０００６】
２．躯体の構成
高所避難施設の躯体は、基礎、柱と床板で構成する。又は、基礎、柱、梁と床板で構成する。基礎は、現場打ちコンクリート又はプレキャストコンクリートにする。柱と床板又は柱、梁と床板は、プレキャストコンクリートにする。基礎と柱は、鉄筋コンクリートにする。床板又は梁と床板は、鉄筋コンクリート又は無筋コンクリートにする。
【０００７】
３．基礎と柱の結合
鉄筋コンクリートの基礎は、上面から鉄筋の縦筋を突出する。鉄筋コンクリートの柱は、下端部に筒状の鉄筋継手を上下方向に埋設する。筒状の鉄筋継手は、上端の開口から柱の鉄筋の縦筋の下端部を挿入し、下端の開口を柱の下端面に開口する。金属製の連結具は、筒状の鉄筋継手にする。
柱は、基礎の上に縦に配置し、鉄筋継手に下端の開口から基礎上の縦筋を挿入する。柱の下端面は、基礎の上面に接近又は接触させる。鉄筋継手は、グラウト剤を注入して充填する。鉄筋継手内のグラウト剤には、柱下端部の縦筋と基礎上の縦筋を埋没する。グラウト剤は、モルタルが例示される。鉄筋継手内のグラウト剤が硬化すると、柱の縦筋と基礎の縦筋が結合される。柱は、基礎に固定され、基礎の上に立てられる。柱の下端面は、基礎で覆われる。基礎の上面は、縦筋が突出した部分が柱の下端面で覆われる。金属製連結具の鉄筋継手は、外部に露出しない。
【０００８】
４．柱と梁又は床板の結合
柱は、上端又は上端と中間位置に、梁又は床板を載せる受け部を設ける。受け部は、上面にインサートでネジ孔を設ける。梁又は床板は、柱の受け部に載せる部分にボルト孔を上下方向に貫通する。ボルト孔は、上端部を大径にする。金属製の連結具は、インサートのネジ孔とボルトにする。
柱の受け部には、梁又は床板を載せ、梁又は床板のボルト孔を受け部のネジ孔と同心状に配置する。ボルトは、ボルト孔にその上側から通し、ネジ孔に捩じ込む。ボルトの上端部は、ボルト孔の大径上端部に没入する。ボルト孔の大径上端部は、グラウト剤を充填する。ボルト孔の大径上端部内のグラウト剤には、ボルトの上端部を埋没する。グラウト剤は、モルタルが代表例である。梁又は床板は、柱の受け部に結合される。受け部の上面は、ネジ孔部分が梁又は床板で覆われる。ボルトの上端部は、グラウト剤で覆われる。金属製連結具のネジ孔とボルトは、外部に露出しない。
【０００９】
５．梁と床板の結合
梁は、上面にインサートでネジ孔を設ける。床板は、梁に載せる部分にボルト孔を上下方向に貫通する。ボルト孔は、上端部を大径にする。金属製連結具は、インサートのネジ孔とボルトにする。
梁には、床板を載せ、床板のボルト孔を梁のネジ孔と同心状に配置する。ボルトは、ボルト孔にその上側から通し、ネジ孔に捩じ込む。ボルトの上端部は、ボルト孔の大径上端部に没入する。ボルト孔の大径上端部には、グラウト剤を充填する。ボルト孔の大径上端部内のグラウト剤には、ボルトの上端部を埋没する。床板は、梁に結合される。梁の上面は、ネジ孔部分が床板で覆われる。ボルトの上端部は、グラウト剤で覆われる。金属製連結具のネジ孔とボルトは、外部に露出しない。
【００１０】
６．ボルト
上記の４、５において、ボルトは、頭部付きボルトや、頭部のないネジ軸とこのネジ軸の上端部に螺合するナットを意味する。
【課題を解決するための手段】
【００１１】
１．基礎の上に複数の柱を立て、柱の間に床板を掛け渡して高所を構成する躯体であって、
基礎は鉄筋コンクリートに、柱はプレキャスト鉄筋コンクリートに、床板はプレキャストコンクリートにし、
基礎は上面から鉄筋の縦筋を突出し、柱は下端部に筒状の鉄筋継手を上下方向に埋設し、鉄筋継手は、上端の開口から柱の鉄筋の縦筋の下端部を挿入し、下端の開口を柱の下端面に開口し、柱は基礎の上に縦に配置し、鉄筋継手に下端の開口から基礎上の縦筋を挿入し、鉄筋継手はグラウト剤を充填して柱の縦筋と基礎の縦筋を結合し、柱は基礎に固定し、柱の下端面は基礎で、基礎上面の縦筋突出部分は柱の下端面で覆い、
柱は受け部を設け、受け部は上面にインサートでネジ孔を設け、床板はボルト孔を上下方向に貫通し、ボルト孔は上端部を大径にし、柱の受け部に床板を載せ、ボルト孔にボルトを通し、ボルトはネジ孔に捩じ込み、ボルトの上端部はボルト孔の大径上端部に没入し、ボルト孔の大径上端部にグラウト剤を充填し、床板は柱の受け部に結合し、受け部上面のネジ孔部分は床板で、ボルトの上端部はグラウト剤で覆ったことを特徴とする高所避難施設の躯体。
２．上記１の高所避難施設の躯体において、
柱の間に梁を掛け渡し、梁の上に床板を載せる躯体であって、
梁は、プレキャストコンクリートにし、ボルト孔を上下方向に貫通し、ボルト孔は上端部を大径にし、梁は柱の受け部に載せ、ボルト孔にボルトを通し、ボルトは受け部上面のネジ孔に捩じ込み、ボルトの上端部はボルト孔の大径上端部に没入し、ボルト孔の大径上端部にグラウト剤を充填し、梁は柱の受け部に結合し、受け部上面のネジ孔部分は梁で、ボルトの上端部はグラウト剤で覆い、
梁は上面にインサートでネジ孔を設け、床板はボルト孔を上下方向に貫通し、ボルト孔は上端部を大径にし、床板は梁に載せ、ボルト孔にボルトを通し、ボルトはネジ孔に捩じ込み、ボルトの上端部はボルト孔の大径上端部に没入し、ボルト孔の大径上端部にグラウト剤を充填し、床板は梁に結合し、梁上面のネジ孔部分は床板で、ボルトの上端部はグラウト剤で覆ったことを特徴とする。
３．上記１又は２の高所避難施設の躯体において、
柱の上端の間に床板を掛け渡して高所を構成したことを特徴とする。
４．上記１、２又は３の高所避難施設の躯体において、
柱の中間位置の間に床板を掛け渡して高所を構成したことを特徴とする。
【発明の効果】
【００１２】
耐久性の維持管理に多くの手間が掛からない。また、構築が簡単である。
【図面の簡単な説明】
【００１３】
【図１】本発明の実施形態の第１例における高所避難施設の躯体の斜視図。
【図２】同躯体に階段と柵を取り付けた高所避難施設の正面図。
【図３】図２のＡ−Ａ線断面図。
【図４】図２のＢ−Ｂ線断面図で、第１高所の平面図。
【図５】同高所避難施設の平面図で、第２高所の平面図。
【図６】同躯体の基礎と柱の結合部分の拡大縦断面図。
【図７】同躯体の柱と床板の結合部分の拡大縦断面図。
【図８】実施形態の第２例における高所避難施設の躯体の斜視図。
【図９】同躯体に階段と柵を取り付けた高所避難施設の平面図。
【発明を実施するための形態】
【００１４】
［第１例（図１〜図７参照）］
〔概  要〕
本例の躯体は、図１に示すように、２階建て構造にし、第１高所２５と第２高所４１を設けている。この躯体に階段５１と柵４７を取り付けて、図２〜図５に示す高所避難施設にしている。躯体の部材１、１１は、図６に示すように、金属製連結具１２、１４、１５で結合している。また、躯体の部材１１、２５は、図７に示すように、金属製連結具２２、２７、２８で結合している。
【００１５】
〔躯体の構成〕
躯体は、図１に示すように、基礎１、柱１１、第１床板２５、梁３５と第２床板４１で構成している。
基礎１は、現場打ち鉄筋コンクリートにしている。柱１１は、プレキャスト鉄筋コンクリートにしている。第１床板２５と第２床板４１は、プレキャスト鉄筋コンクリートにしている。梁３５は、プレキャスト鉄筋コンクリートにしている。
【００１６】
〔基礎１と柱１１〕
基礎１は、地表に方形状の鉄筋コンクリート盤を現場打ちしている。鉄筋コンクリート盤１は、下側に、地中に打ち込んだ杭２の上端を結合している。図２と図３に示すように、鉄筋コンクリート盤１の上面は、四隅、前後左右の４個所で、それぞれ、鉄筋の縦筋３を上向きに突出している。各個所での縦筋３の突出本数は、複数にしている。縦筋３は、異形鉄筋にしている。
【００１７】
柱１１は、図２と図３に示すように、下端部に円筒状の鉄筋継手１２を上下方向に埋設している。鉄筋継手１２は、上端の開口から柱１１の鉄筋の縦筋１３の下端部を挿入し、上部内に縦筋１３の下端部を同心状に配置している。鉄筋継手１２の下端の開口は、柱１１の下端面に開口している。鉄筋継手１２は、下端にグラウト剤の注入口１４を、上端にグラウト剤の流出口１５を設けている。注入口１４と流出口１５は、柱１１の側面に開口している。鉄筋継手１２の埋設本数は、複数にし、基礎１の各個所での縦筋３の突出本数と同数にしている。鉄筋継手１２は、鋳造品にしている。金属製連結具は、注入口１４と流出口１５付きの鉄筋継手１２にしている。縦筋１３は、異形鉄筋にしている。
【００１８】
基礎１の上に柱１１を結合するときには、柱１１は、基礎１の縦筋３突出部分の上に縦に保持し、鉄筋継手１２を基礎１上の突出縦筋３と同心状に配置する。柱１１は、下降し、鉄筋継手１２に下端の開口から基礎１上の縦筋３を挿入し、基礎１の上に載せる。図６に示すように、鉄筋継手１２の下部内には、基礎１上の縦筋３を同心状に配置する。柱１１の下端面は、基礎１の上面に接近又は接触する。次に、鉄筋継手１２は、グラウト剤のモルタルを、注入口１４から注入して流出口１５から流出させ、内部に充填する。鉄筋継手１２内の縦筋１３と縦筋３は、グラウト剤に埋没する。なお、柱１１の下端面と基礎１の上面の間に透間があると、その透間にもグラウト剤のモルタルが流入して充填する。
【００１９】
鉄筋継手１２内のグラウト剤のモルタルが硬化すると、柱の縦筋１３と基礎の縦筋３が結合される。柱１１は、基礎１に固定され、基礎１の上に立てられる。柱１１の下端面は、基礎１で覆われる。基礎１上面の縦筋３突出部分は、柱１１の下端面で覆われる。鉄筋継手１２は、外部に露出しない。
方形状の基礎１は、図１〜図３に示すように、四隅、前後左右の４個所に、それぞれ、同様にして、柱１１を立てている。
【００２０】
〔柱１１と第１床板２５〕
基礎１の四隅、前後左右４個所の柱１１は、図１、図２と図４に示すように、横断面を方形状にし、内側になる２面の側面に、それぞれ、第１受け部２１を設けている。第１受け部２１は、柱１１の上下方向中央の中間位置に配置している。また、片持ち状に側方に突出している。前左側の柱１１は右側面と後側面に、前右側の柱１１は左側面と後側面に、それぞれ、第１受け部２１を設けている。後左側の柱１１は右側面と前側面に、後右側の柱１１は左側面と前側面に、それぞれ、第１受け部２１を設けている。第１受け部２１は、図２と図７に示すように、上面にインサートでネジ孔２２を設けている。
【００２１】
第１床板２５は、長方形状の平板にし、両端部にそれぞれボルト孔２６を上下方向に貫通している。図７に示すように、ボルト孔２６は、上端部を大径にしている。金属製連結具は、ネジ孔２２とボルトにしている。ボルトは、ネジ軸２７とその上端部に螺合するナット２８にしている。
【００２２】
金属製連結具２２、２７、２８で柱１１の中間位置に第１床板２５を結合するときは、図１、図２と図４に示すように、前左側の柱１１の右側の第１受け部２１と前右側の柱１１の左側の第１受け部２１の間、後左側の柱１１の右側の第１受け部２１と後右側の柱１１の左側の第１受け部２１の間に、それぞれ、第１床板２５を左右方向に掛け渡す。この第１床板２５は、左端部と右端部をそれぞれ第１受け部２１に載せる。第１床板２５のボルト孔２６は、第１受け部２１のネジ孔２２と同心状に配置する。
また、前左側の柱１１の後側の第１受け部２１と後左側の柱１１の前側の第１受け部２１の間、前右側の柱１１の後側の第１受け部２１と後右側の柱１１の前側の第１受け部２１の間に、それぞれ、第１床板２５を前後方向に掛け渡す。この第１床板２５は、前端部と後端部をそれぞれ第１受け部２１に載せる。第１床板２５のボルト孔２６は、第１受け部２１のネジ孔２２と同心状に配置する。なお、前後方向に掛け渡す第１床板２５は、左右方向に掛け渡す第１床板２５と干渉する隅角部を切り欠いている。
図７に示すように、ネジ軸２７は、ボルト孔２６にその上側から通し、ネジ孔２２に捩じ込む。ネジ軸２７の上端部は、ナット２８を螺合する。ネジ軸２７の上端部とナット２８は、ボルト孔２６の大径上端部に没入する。ボルト孔２６の大径上端部は、グラウト剤のモルタル２９を注入して充填する。ボルト孔２６の大径上端部内のモルタル２９には、ネジ軸２７の上端部とナット２８を埋没する。なお、ネジ孔２２とネジ軸２７の間の透間にも、グラウト剤のモルタルを注入して充填する。
【００２３】
第１床板２５は、柱１１の中間位置の第１受け部２１に結合される。第１受け部２１の上面は、第１床板２５が重なり、ネジ孔２２部分が第１床板２５で覆われる。ネジ軸２７の上端部とナット２８は、グラウト剤のモルタル２９で覆われる。金属製連結具のネジ孔２２とボルト２７、２８は、外部に露出しない。
図１、図２と図４に示すように、前後左右４個所の柱１１は、上下方向中央の中間位置に４枚の第１床板２５を左右方向と前後方向に掛け渡して固定している。４枚の第１床板２５は、同じ高さにロの字形状に配置し、第１高所を構成している。
なお、４枚のロの字形配置の第１床板２５の間は、吹き抜けにし、階段出入口４５にしている。
【００２４】
〔柱１１と梁３５〕
前後左右４個所の方形状横断面の柱１１は、図１、図２と図５に示すように、内側になる２面の側面に、それぞれ、第２受け部３１を設けている。第２受け部３１は、柱１１の上端に配置している。また、片持ち状に側方に突出している。前左側の柱１１は右側面と後側面に、前右側の柱１１は左側面と後側面に、それぞれ、第２受け部３１を設けている。後左側の柱１１は右側面と前側面に、後右側の柱１１は左側面と前側面に、それぞれ、第２受け部３１を設けている。第２受け部３１は、上面にインサートでネジ孔２２を設けている。
【００２５】
梁３５は、細長の平板にし、両端部にそれぞれボルト孔２６を上下方向に貫通している。ボルト孔２６は、上端部を大径にしている。金属製連結具は、ネジ孔２２とボルトにしている。ボルトは、ネジ軸２７とその上端部に螺合するナット２８にしている。
【００２６】
金属製連結具２２、２７、２８で柱１１に梁３５を結合する作業と構造は、柱１１に第１床板２５を結合するそれらと同様にする。前左側の柱１１の右側の第２受け部３１と前右側の柱１１の左側の第２受け部３１の間、後左側の柱１１の右側の第２受け部３１と後右側の柱１１の左側の第２受け部３１の間に、それぞれ、梁３５を左右方向に掛け渡す。この梁３５は、左端部と右端部をそれぞれ第２受け部３１に載せる。梁３５のボルト孔２６は、第２受け部３１のネジ孔２２と同心状に配置する。
また、前左側の柱１１の後側の第２受け部３１と後左側の柱１１の前側の第２受け部３１の間、前右側の柱１１の後側の第２受け部３１と後右側の柱１１の前側の第２受け部３１の間に、それぞれ、梁３５を前後方向に掛け渡す。この梁３５は、前端部と後端部をそれぞれ第２受け部３１に載せる。梁３５のボルト孔２６は、第２受け部３１のネジ孔２２と同心状に配置する。
ネジ軸２７は、ボルト孔２６にその上側から通し、ネジ孔２２に捩じ込む。ネジ軸２７の上端部は、ナット２８を螺合する。ネジ軸２７の上端部とナット２８は、ボルト孔２６の大径上端部に没入する。ボルト孔２６の大径上端部は、グラウト剤のモルタル２９を充填する。ボルト孔２６の大径上端部内のモルタル２９には、ネジ軸２７の上端部とナット２８を埋没する。
【００２７】
梁３５は、柱１１の上端の第２受け部３１に結合される。第２受け部３１の上面は、梁３５が重なり、ネジ孔２２部分が梁３５で覆われる。ネジ軸２７の上端部とナット２８は、グラウト剤のモルタル２９で覆われる。金属製連結具のネジ孔２２とボルト２７、２８は、外部に露出しない。
図１と図５に示すように、前後左右４個所の柱１１は、上端に４本の梁３５を左右方向と前後方向に掛け渡して固定している。４本の梁３５は、ロの字形状に配置している。また、４本の梁３５は、同じ高さにし、上面を柱１１の上端面と同一面にしている。
【００２８】
〔柱１１、梁３５と第２床板４１〕
前後左右４個所の柱１１は、図２に示すように、上端面にインサートでネジ孔２２を設けている。４本の梁３５は、上面にインサートでネジ孔２２を設けている。
【００２９】
第２床板４１は、長方形状の平板にし、両端部又は両端部と片側の側部にそれぞれボルト孔２６を上下方向に貫通している。ボルト孔２６は、上端部を大径にしている。金属製連結具は、ネジ孔２２とボルトにしている。ボルトは、ネジ軸２７とその上端部に螺合するナット２８にしている。
【００３０】
金属製連結具２２、２７、２８で柱１１の上端に第２床板４１を結合するときには、図１、図２と図５に示すように、柱１１と梁３５の上に第２床板４１を左右方向に掛け渡す。第２床板４１は、４枚を前後方向に並列する。
前後方向中間位置の２枚の第２床板４１は、左端部と右端部をそれぞれ左側の梁３５と右側の梁３５に載せる。この第２床板４１のボルト孔２６は、梁３５のネジ孔２２と同心状に配置する。前端の第２床板４１は、左端部と右端部をそれぞれ左側の梁３５と左前側の柱１１、右側の梁３５と右前側の柱１１に載せる。更に、前側の側部を前側の梁３５に載せる。この第２床板４１のボルト孔２６は、梁３５のネジ孔２２、柱１１のネジ孔２２と同心状に配置する。後端の第２床板４１は、左端部と右端部をそれぞれ左側の梁３５と左後側の柱１１、右側の梁３５と右後側の柱１１に載せる。更に、後側の側部を後側の梁３５に載せる。この第２床板４１のボルト孔２６は、梁３５のネジ孔２２、柱１１のネジ孔２２と同心状に配置する。
ネジ軸２７は、ボルト孔２６にその上側から通し、ネジ孔２２に捩じ込む。ネジ軸２７の上端部は、ナット２８を螺合する。ネジ軸２７の上端部とナット２８は、ボルト孔２６の大径上端部に没入する。ボルト孔２６の大径上端部は、グラウト剤のモルタル２９を充填する。ボルト孔２６の大径上端部内のモルタル２９には、ネジ軸２７の上端部とナット２８を埋没する。即ち、柱１１に第２床板４１を結合する作業と構造は、柱１１に第１床板２５を結合するそれらと同様にする。
【００３１】
第２床板４１は、柱１１の上端と梁３５に結合される。柱１１の上端面と梁３５の上面は、第２床板４１が重なり、ネジ孔２２部分が第２床板４１で覆われる。ネジ軸２７の上端部とナット２８は、グラウト剤のモルタル２９で覆われる。金属製連結具のネジ孔２２とボルト２７、２８は、外部に露出しない。
図１に示すように、前後左右４個所の柱１１は、上端に４枚の第２床板４１を左右方向に掛け渡して固定している。４枚の第２床板４１は、同じ高さに並列し、第２高所を構成している。
なお、前端の第２床板４１とその後隣の第２床板４１は、階段出入口４６を貫通している。後端の第２床板４１とその前隣の第２床板４１も、階段出入口４６を貫通している。
【００３２】
〔高所避難施設〕
高所避難施設は、図２、図４と図５に示すように、躯体の基礎１と第１高所２５の階段出入口４５の間、第１高所２５の階段出入口４５と第２高所４１の階段出入口４６の間に、それぞれ、階段５１を取り付けている。階段５１は、前側と後側の２列にしている。前側の階段５１は、左側から右側に上る。後側の階段５１は、右側から左側に上る。
第１高所２５の周辺と第２高所４１の周辺には、柵４７を取り付けている。
【００３３】
［第２例（図８、図９参照）］
本例の躯体は、第１例のそれにおいて、第１高所と第２高所の構成及び階段を変更している。第１高所は、第１床板２５と梁３５で構成している。第１床板２５と第２床板４１は、階段出入口を設けていない。階段は、躯体の外側を半周する外階段５２にしている。
【００３４】
梁３５は、第１例において柱１１の第２受け部３１に取り付けたのと同様にし、図８に示すように、柱１１の第１受け部２１に取り付けている。４本の梁３５は、柱１１の第１受け部２１に掛け渡し、ロの字形状に配置している。第１受け部２１には、第１例におけるのと同様な金属製連結具２２、２７、２８で同様に結合している。
【００３５】
第１受け部２１に固定したロの字形状配置の梁３５の上には、第１床板２５を左右方向に掛け渡している。第１床板２５は、４枚を前後方向に並列している。前後方向中間位置の２枚の第１床板２５は、左端部と右端部をそれぞれ左側の梁３５と右側の梁３５に載せている。前端の第１床板２５は、左端部と右端部をそれぞれ左側の梁３５と右側の梁３５に載せている。更に、前側の側部を前側の梁３５に載せている。後端の第１床板２５は、左端部と右端部をそれぞれ左側の梁３５と右側の梁３５に載せている。更に、後側の側部を後側の梁３５に載せている。４枚の第１床板２５は、梁３５に、第１例におけるのと同様な金属製連結具２２、２７、２８で同様に結合している。
【００３６】
第１高所を構成する第１床板２５は、階段出入口を貫通していない。また、第２高所を構成する第２床板４１も、階段出入口を貫通していない。
【００３７】
高所避難施設は、図９に示すように、躯体の前側と左側に階段５２を設けている。階段５２は、躯体の前側を右側から左側に上って第１高所２５に達する。更に、躯体の左側を前側から後側に上って第２高所４１に達する。
その他の点は、第１例におけるのと同様である。第１例におけるのと同様な部分には、図中、第１例におけるのと同一の符号を付ける。
【００３８】
［変形例］
１．上記の実施形態において、躯体は、２階建て構造にして第１高所２５と第２高所４１を設けているが、多数階建て構造にして多数の高所を設ける。
２．上記の実施形態において、第２高所４１、最上階の高所は、４枚の第２床板４１を柱１１と梁３５の上に並列して構成しているが、４枚の第２床板を柱１１の上端の受け部３１の上にロの字形状に配置して構成する。第１例における第１高所２５と同様に梁３５を用いずに構成する。
３．上記の実施形態において、躯体は、柱１１の中間位置の高所２５をなくし、柱１１の上端位置の高所のみにする。
【符号の説明】
【００３９】
１  基礎、鉄筋コンクリート盤
２  杭
３  鉄筋の縦筋
１１  柱
１２、１４、１５  金属製連結具
１２  鉄筋継手
１３  鉄筋の縦筋
１４  グラウト剤の注入口
１５  グラウト剤の流出口
２１  第１受け部
２２、２７、２８  金属製連結具
２２  ネジ孔
２５  第１床板、第１高所
２６  ボルト孔
２７、２８  ボルト
２７  ネジ軸
２８  ナット
２９  グラウト剤、モルタル
３１  第２受け部
３５  梁
４１  第２床板、第２高所
４５  第１高所の階段出入口
４６  第２高所の階段出入口
４７  柵
５１  階段、内階段
５２  階段、外階段
【図１】
0005845110.tif 000002
【図２】
0005845110.tif 000003
【図３】
0005845110.tif 000004
【図４】
0005845110.tif 000005
【図５】
0005845110.tif 000006
【図６】
0005845110.tif 000007
【図７】
0005845110.tif 000008
【図８】
0005845110.tif 000009
【図９】
0005845110.tif 000010